(57)【要約】【課題】  電子データの画像を複写機で用紙に形成する場合の操作を容易にする。【解決手段】  表示装置は、表示用データを構成する複数ページの画像を配置した少なくとも１つのページで構成される出力画像を生成する表示画像生成部と、出力画像を電子ペーパに表示する表示制御部とを備え、表示制御部は、重力センサにより検出される重力方向が電子ペーパの表示面が向く方向になると（Ｓ０３でＹＥＳ）、出力画像の第１ページの画像を表示する表示開始部（Ｓ０５）と、光センサにより所定強度以上の光が検出された後に所定強度以上の光が検出されなくなることを条件に（Ｓ０７でＮＯ）、電子ペーパに表示する画像を、それまで表示されていたページの画像から次のページの画像に切り換える切換部（Ｓ１１）と、を含む。【選択図】        図５
2011090398.tif 000002
【特許請求の範囲】
【請求項１】
画像を表示する表示手段と、
重力方向を検出する重力検出手段と、
前記表示手段の表示面側の光を検出する光検出手段と、
複数ページで構成される電子データを記憶するデータ記憶手段と、
前記電子データを構成する複数ページの画像を配置した少なくとも１つのページで構成される出力画像を生成する表示画像生成手段と、
前記生成された出力画像を前記表示手段に表示する表示制御手段を備え、
前記表示制御手段は、前記重力検出手段により検出される重力方向が前記表示手段の表示面が向く方向になると、前記出力画像を構成する複数ページのうち所定のページの画像を表示する表示開始手段と、
前記光検出手段により所定強度以上の光が検出された後に所定強度以上の光が検出されなくなることを条件に、前記表示手段に表示する画像を、前記出力画像を構成する少なくとも１つのページの画像のうちそれまで表示されていたページの画像から次のページの画像に切り換える切換手段と、を含む表示装置。
【請求項２】
画像を表示する表示手段と、
所定方向に距離を隔てて配置され、前記表示手段の表示面側の光を検出する少なくとも２つの光検出手段と、
複数ページで構成される電子データを記憶するデータ記憶手段と、
前記電子データを構成する複数ページの画像を配置した少なくとも１つのページで構成される出力画像を生成する表示画像生成手段と、
前記生成された出力画像を前記表示手段に表示する表示制御手段を備え、
前記表示制御手段は、前記出力画像を構成する複数ページのうち所定のページの画像を表示する表示開始手段と、
前記少なくとも２つの光検出手段のうちの少なくとも２つが所定強度の光を異なる時に検出する場合、前記表示手段に表示する画像を、前記出力画像を構成する少なくとも１つのページの画像のうちそれまで表示されていたページの画像から次のページの画像に切り換える切換手段と、を含む表示装置。
【請求項３】
前記表示画像生成手段は、複数ページの画像を配列するために予め定められた複数の配列規則のうちから１つを選択する選択手段を含み、
前記選択された配列規則に従って、前記電子データを構成する複数ページの画像を配置することにより少なくとも１つのページで構成される出力画像を生成する、請求項１または２に記載の表示装置。
【請求項４】
前記予め定められた複数の配列規則は、前記電子データを構成する複数ページの画像を最初のページから次のページの順に配置する第１通常配列と、
前記電子データを構成する複数ページの画像を最後のページから前のページの順に配置する第２通常配列と、
前記電子データを構成する複数ページのうち奇数ページの画像の右に次の偶数ページの画像を、最初の奇数ページから次の奇数ページの順に配置する第１の２ｉｎ１配列と、
前記電子データを構成する複数ページのうち奇数ページの画像の右に次の偶数ページの画像を、最後の奇数ページから前の奇数ページの順に配置する第２の２ｉｎ１配列と、
前記電子データを構成する複数ページのページ数をＮとしたとき、第ｎページ（ｎは正の整数）の画像の右に第（Ｎ−ｎ＋１）ページの画像を、第１ページから次のページの順に配置する第１ブックレット配列と、
前記電子データを構成する複数ページのページ数をＮとしたとき、第ｎページ（ｎは正の整数）の画像の右に第（Ｎ−ｎ＋１）ページの画像を、Ｎが偶数の場合は第（Ｎ／２）ページから順に、Ｎが奇数のときは第（（Ｎ＋１）／２＋１）ページから前ページの順に配置する第２ブックレット配列と、を含む、請求項１〜３のいずれかに記載の表示装置。
【請求項５】
表示装置で実行される表示制御方法であって、
前記表示装置は、画像を表示する表示手段と、
重力方向を検出する重力検出手段と、
前記表示手段の表示面側の光を検出する光検出手段と、を備えており、
複数ページで構成される電子データを構成する複数ページの画像を配置した少なくとも１つのページで構成される出力画像を生成するステップと、
前記重力検出手段により検出された重力方向が前記表示手段の表示面が向く方向になると、前記出力画像を構成する複数ページのうち所定のページの画像を表示するステップと、
前記光検出手段により所定強度以上の光が検出された後に所定強度以上の光が検出されなくなることを条件に、前記表示手段に表示する画像を、前記出力画像を構成する少なくとも１つのページの画像のうちそれまで表示されていたページの画像から次のページの画像に切り換えるステップと、を含む表示制御方法。
【請求項６】
表示装置で実行される表示制御方法であって、
前記表示装置は、画像を表示する表示手段と、
所定方向に距離を隔てて配置され、前記表示手段の表示面側の光を検出する少なくとも２つの光検出手段と、を備えており、
予め定められた複数の配列規則のうちから１つを選択する選択手段を含み、
前記選択された配列規則に従って、複数ページで構成される電子データを構成する複数ページの画像を配置することにより少なくとも１つのページで構成される出力画像を生成するステップと、
前記出力画像を構成する複数ページのうち所定のページの画像を表示するステップと、
前記少なくとも２つの光検出手段のうちの少なくとも２つが所定強度の光を異なる時に検出する場合、前記表示手段に表示する画像を、前記出力画像を構成する少なくとも１つのページの画像のうちそれまで表示されていたページの画像から次のページの画像に切り換えるステップと、を含む表示制御方法。
【請求項７】
表示装置を制御するコンピュータで実行される表示制御プログラムであって、
前記表示装置は、画像を表示する表示手段と、
重力方向を検出する重力検出手段と、
前記表示手段の表示面側の光を検出する光検出手段と、を備えており、
複数ページで構成される電子データを構成する複数ページの画像を配置した少なくとも１つのページで構成される出力画像を生成するステップと、
前記重力検出手段により検出された重力方向が前記表示手段の表示面が向く方向になると、前記出力画像を構成する複数ページのうち所定のページの画像を表示するステップと、
前記光検出手段により所定強度以上の光が検出された後に所定強度以上の光が検出されなくなることを条件に、前記表示手段に表示する画像を、前記出力画像を構成する少なくとも１つのページの画像のうちそれまで表示されていたページの画像から次のページの画像に切り換えるステップと、を前記コンピュータに実行させる表示制御プログラム。
【請求項８】
表示装置を制御するコンピュータで実行される表示制御プログラムであって、
前記表示装置は、画像を表示する表示手段と、
所定方向に距離を隔てて配置され、前記表示手段の表示面側の光を検出する少なくとも２つの光検出手段と、を備えており、
予め定められた複数の配列規則のうちから１つを選択する選択手段を含み、
前記選択された配列規則に従って、複数ページで構成される電子データを構成する複数ページの画像を配置することにより少なくとも１つのページで構成される出力画像を生成するステップと、
前記出力画像を構成する複数ページのうち所定のページの画像を表示するステップと、
前記少なくとも２つの光検出手段のうちの少なくとも２つが所定強度の光を異なる時に検出する場合、前記表示手段に表示する画像を、前記出力画像を構成する少なくとも１つのページの画像のうちそれまで表示されていたページの画像から次のページの画像に切り換えるステップと、を前記コンピュータに実行させる表示制御プログラム。
【発明の詳細な説明】
【技術分野】
【０００１】
この発明は、表示装置、表示制御方法および表示制御プログラムに関し、特に、複数ページの画像を表示する表示装置、その表示装置で実行される表示制御方法および表示制御プログラムに関する。
【背景技術】
【０００２】
近年、電子データとしての画像を表示する電子ペーパが普及している。この電子ペーパによれば、電子データが複数ページを含んでいる場合に、表示するページを切り換えることにより複数ページの画像を順に表示することができる。一方、電子データとしての画像を、紙などの記録媒体に形成した保存が望まれる場合がある。特開２００６−３２３１９８号公報には、複写機による所定強度での光走査を検出して、検出結果に応じて表示する画像を切り換える表示装置が記載されている。
【０００３】
しかしながら、従来の表示装置は、ページを順送りすることで表示する画像を切り換えるので、走査する複写機が排紙する方向が、フェイスダウンの場合は、ページ順に複写された用紙が排紙されるが、フェイスアップの場合は、ページ順と逆の順に複写された用紙が排紙される。複写機が、すべての画像を読み取ってからページ順を入れ換えて複数の画像を用紙に形成すれば、フェイスアップでページ順に排紙することが可能であるが、そのような機能を有しない低機能の複写機では、画像が形成され、排紙された複数の用紙が重なる順を、ユーザが並べ替えなければならず、煩雑な作業が要求される。
【特許文献１】特開２００６−３２３１９８号公報
【発明の概要】
【発明が解決しようとする課題】
【０００４】
この発明は上述した問題点を解決するためになされたもので、この発明の目的の１つは、電子データの画像を複写機で用紙に形成する場合に、複写機の操作を容易にした表示装置を提供することである。
【０００５】
この発明の他の目的は、電子データの画像を複写機で用紙に形成する場合に、複写機の操作を容易にした表示制御方法を提供することである。
【０００６】
この発明のさらに他の目的は、電子データの画像を複写機で用紙に形成する場合に、複写機の操作を容易にした表示制御プログラムを提供することである。
【課題を解決するための手段】
【０００７】
この発明は上述した問題点を解決するためになされたもので、この発明のある局面によれば、表示装置は、画像を表示する表示手段と、重力方向を検出する重力検出手段と、表示手段の表示面側の光を検出する光検出手段と、複数ページで構成される電子データを記憶するデータ記憶手段と、電子データを構成する複数ページの画像を配置した少なくとも１つのページで構成される出力画像を生成する表示画像生成手段と、生成された出力画像を表示手段に表示する表示制御手段を備え、表示制御手段は、重力検出手段により検出される重力方向が表示手段の表示面が向く方向になると、出力画像を構成する複数ページのうち所定のページの画像を表示する表示開始手段と、光検出手段により所定強度以上の光が検出された後に所定強度以上の光が検出されなくなることを条件に、表示手段に表示する画像を、出力画像を構成する少なくとも１つのページの画像のうちそれまで表示されていたページの画像から次のページの画像に切り換える切換手段と、を含む。
【０００８】
この発明に従えば、検出される重力方向が表示面が向く方向になると、出力画像を構成する複数ページのうち所定のページの画像が表示され、所定強度以上の光が検出された後に所定強度以上の光が検出されなくなることを条件に、表示手段に表示する画像が、出力画像を構成する少なくとも１つのページの画像のうちそれまで表示されていたページの画像から次のページの画像に切り換えられる。このため、電子データの画像を複写機で用紙に形成する場合に、表示装置を読み取り位置に載置し、複写機を操作するだけで、連続するページの画像を複写させることができる。その結果、電子データの画像を複写機で用紙に形成する場合に、複写機の操作を容易にした表示装置を提供することができる。
【０００９】
この発明の他の局面によれば、表示装置は、画像を表示する表示手段と、所定方向に距離を隔てて配置され、表示手段の表示面側の光を検出する少なくとも２つの光検出手段と、複数ページで構成される電子データを記憶するデータ記憶手段と、電子データを構成する複数ページの画像を配置した少なくとも１つのページで構成される出力画像を生成する表示画像生成手段と、生成された出力画像を表示手段に表示する表示制御手段を備え、表示制御手段は、出力画像を構成する複数ページのうち所定のページの画像を表示する表示開始手段と、少なくとも２つの光検出手段のうちの少なくとも２つが所定強度の光を異なる時に検出する場合、表示手段に表示する画像を、出力画像を構成する少なくとも１つのページの画像のうちそれまで表示されていたページの画像から次のページの画像に切り換える切換手段と、を含む。
【００１０】
この局面に従えば、出力画像を構成する複数ページのうち所定のページの画像が表示され、少なくとも２つの光検出手段のうちの少なくとも２つが所定強度の光を異なる時に検出する場合、表示手段に表示する画像が、それまで表示されていたページの画像から次のページの画像に切り換えられる。このため、電子データの画像を複写機で用紙に形成する場合に、表示装置を読み取り位置に載置し、複写機を操作するだけで、連続するページの画像を複写させることができる。その結果、電子データの画像を複写機で用紙に形成する場合に、複写機の操作を容易にした表示装置を提供することができる。
【００１１】
好ましくは、表示画像生成手段は、複数ページの画像を配列するために予め定められた複数の配列規則のうちから１つを選択する選択手段を含み、選択された配列規則に従って、電子データを構成する複数ページの画像を配置することにより少なくとも１つのページで構成される出力画像を生成する。
【００１２】
この局面に従えば、電子データを構成する複数ページの画像を予め定められた複数の配列規則のうちから選ばれた１つで、配列した画像を形成することができる。
【００１３】
好ましくは、予め定められた複数の配列規則は、電子データを構成する複数ページの画像を最初のページから次のページの順に配置する第１通常配列と、電子データを構成する複数ページの画像を最後のページから前のページの順に配置する第２通常配列と、電子データを構成する複数ページのうち奇数ページの画像の右に次の偶数ページの画像を、最初の奇数ページから次の奇数ページの順に配置する第１の２ｉｎ１配列と、電子データを構成する複数ページのうち奇数ページの画像の右に次の偶数ページの画像を、最後の奇数ページから前の奇数ページの順に配置する第２の２ｉｎ１配列と、電子データを構成する複数ページのページ数をＮとしたとき、第ｎページ（ｎは正の整数）の画像の右に第（Ｎ−ｎ＋１）ページの画像を、第１ページから次のページの順に配置する第１ブックレット配列と、電子データを構成する複数ページのページ数をＮとしたとき、第ｎページ（ｎは正の整数）の画像の右に第（Ｎ−ｎ＋１）ページの画像を、Ｎが偶数の場合は第（Ｎ／２）ページから順に、Ｎが奇数のときは第（（Ｎ＋１）／２＋１）ページから前ページの順に配置する第２ブックレット配列と、を含む。
【００１４】
この局面に従えば、複写機で用紙に形成する画像を、電子データに含まれる複数ページの画像を任意に組み合わせた画像とすることができる。
【００１５】
この発明の他の局面によれば、表示制御方法は、
表示装置で実行される表示制御方法であって、表示装置は、画像を表示する表示手段と、重力方向を検出する重力検出手段と、表示手段の表示面側の光を検出する光検出手段と、を備えており、複数ページで構成される電子データを構成する複数ページの画像を配置した少なくとも１つのページで構成される出力画像を生成するステップと、重力検出手段により検出された重力方向が表示手段の表示面が向く方向になると、出力画像を構成する複数ページのうち所定のページの画像を表示するステップと、光検出手段により所定強度以上の光が検出された後に所定強度以上の光が検出されなくなることを条件に、表示手段に表示する画像を、出力画像を構成する少なくとも１つのページの画像のうちそれまで表示されていたページの画像から次のページの画像に切り換えるステップと、を含む。
【００１６】
この局面に従えば、電子データの画像を複写機で用紙に形成する場合に、複写機の操作を容易にした表示制御方法を提供することができる。
【００１７】
この発明のさらに他の局面によれば、表示制御方法は、
表示装置で実行される表示制御方法であって、表示装置は、画像を表示する表示手段と、所定方向に距離を隔てて配置され、表示手段の表示面側の光を検出する少なくとも２つの光検出手段と、を備えており、予め定められた複数の配列規則のうちから１つを選択する選択手段を含み、選択された配列規則に従って、複数ページで構成される電子データを構成する複数ページの画像を配置することにより少なくとも１つのページで構成される出力画像を生成するステップと、出力画像を構成する複数ページのうち所定のページの画像を表示するステップと、少なくとも２つの光検出手段のうちの少なくとも２つが所定強度の光を異なる時に検出する場合、表示手段に表示する画像を、出力画像を構成する少なくとも１つのページの画像のうちそれまで表示されていたページの画像から次のページの画像に切り換えるステップと、を含む。
【００１８】
この局面に従えば、電子データの画像を複写機で用紙に形成する場合に、複写機の操作を容易にした表示制御方法を提供することができる。
【００１９】
この発明のさらに他の局面によれば、表示制御プログラムは、表示装置を制御するコンピュータで実行される表示制御プログラムであって、表示装置は、画像を表示する表示手段と、重力方向を検出する重力検出手段と、表示手段の表示面側の光を検出する光検出手段と、を備えており、複数ページで構成される電子データを構成する複数ページの画像を配置した少なくとも１つのページで構成される出力画像を生成するステップと、重力検出手段により検出された重力方向が表示手段の表示面が向く方向になると、出力画像を構成する複数ページのうち所定のページの画像を表示するステップと、光検出手段により所定強度以上の光が検出された後に所定強度以上の光が検出されなくなることを条件に、表示手段に表示する画像を、出力画像を構成する少なくとも１つのページの画像のうちそれまで表示されていたページの画像から次のページの画像に切り換えるステップと、をコンピュータに実行させる。
【００２０】
この局面に従えば、電子データの画像を複写機で用紙に形成する場合に、複写機の操作を容易にした表示制御プログラムを提供することができる。
【００２１】
この発明のさらに他の局面によれば、表示制御プログラムは、表示装置を制御するコンピュータで実行される表示制御プログラムであって、表示装置は、画像を表示する表示手段と、所定方向に距離を隔てて配置され、表示手段の表示面側の光を検出する少なくとも２つの光検出手段と、を備えており、予め定められた複数の配列規則のうちから１つを選択する選択手段を含み、選択された配列規則に従って、複数ページで構成される電子データを構成する複数ページの画像を配置することにより少なくとも１つのページで構成される出力画像を生成するステップと、出力画像を構成する複数ページのうち所定のページの画像を表示するステップと、少なくとも２つの光検出手段のうちの少なくとも２つが所定強度の光を異なる時に検出する場合、表示手段に表示する画像を、出力画像を構成する少なくとも１つのページの画像のうちそれまで表示されていたページの画像から次のページの画像に切り換えるステップと、をコンピュータに実行させる。
【００２２】
この局面に従えば、電子データの画像を複写機で用紙に形成する場合に、複写機の操作を容易にした表示制御プログラムを提供することができる。
【発明を実施するための形態】
【００２３】
以下、本発明の実施の形態について図面を参照して説明する。以下の説明では同一の部材には同一の符号を付してある。それらの名称および機能も同じである。従ってそれらについての詳細な説明は繰り返さない。
【００２４】
＜第１の実施の形態＞
図１は、本発明の第１の実施の形態における表示装置の平面図である。図１を参照して、表示装置１００は、その上面に電子ペーパ１９と、タッチパネル２１Ｂと、電源キー２１Ａと、光センサ２７と、が設けられる。
【００２５】
電子ペーパ１９の表示面は、表示装置１００が図１に示すように横長方向に配置される場合は横長の形状である。電子ペーパ１９は、その方式は限定されるものではなく、電気遊泳方式、ツイストボール方式、トナーディスプレイ方式、サーマルリライタブル方式、液晶方式、エレクトロクロミック方式のいずれであってもよい。なお、電子ペーパ１９に代えて、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等を用いるようにしてもよい。
【００２６】
タッチパネル２１Ｂは、透明な部材からなり、電子ペーパ１９の表示面に重畳して設けられる。ユーザが、電子ペーパ１９の表示面を指示すると、表示面における指示された位置の座標を出力する。なお、タッチパネル２１Ｂは、電子ペーパ１９の裏面に設けられても良い。この場合には、透明な部材である必要はない。
【００２７】
図２は、第１の実施の形態における表示装置のハードウエア構成の一例を示すブロック図である。図２を参照して、表示装置１００は、それぞれがバス３１に接続された、表示装置１００の全体を制御する中央演算装置（ＣＰＵ）１１、ＲＯＭ（Ｒｅａｄ  Ｏｎｌｙ  Ｍｅｍｏｒｙ）１３、ＲＡＭ（Ｒａｎｄｏｍ  Ａｃｃｅｓｓ  Ｍｅｍｏｒｙ）１５、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１７、電子ペーパ１９、表示装置１００をネットワークに接続するための通信インターフェース（Ｉ／Ｆ）２３、ユーザの操作を受け付ける操作部２１、外部Ｉ／Ｆ２５、光センサ２７、および重力センサ２９を含む。
【００２８】
電子ペーパ１９は、ＣＰＵ１１により制御されて、画像を表示する。ＲＯＭ１３は、ＣＰＵ１１が実行するプログラム、またはそのプログラムを実行するために必要なデータを記憶する。ＲＡＭ１５は、ＣＰＵ１１がプログラムを実行する際の作業領域として用いられる。ＥＥＰＲＯＭ１７は、プログラムまたはデータ等を不揮発的に記憶する。
【００２９】
操作部２１は、電源キー２１Ａを含む複数のキーと、電子ペーパ１９の上面に設けられたタッチパネル２１Ｂとを含む。電子ペーパ１９とタッチパネル２１Ｂとを組み合わせることにより、種々の操作を受け付ける。
【００３０】
通信Ｉ／Ｆ２３は、表示装置１００をローカルエリアネットワーク等のネットワークに接続するためのインターフェースである。ＣＰＵ１１は、通信Ｉ／Ｆ２３を介して別の表示装置またはコンピュータと通信し、データを送受信する。また、通信Ｉ／Ｆ２３は、ネットワークを介してインターネットに接続されたコンピュータと通信が可能である。
【００３１】
外部Ｉ／Ｆ２５は、外部の装置と通信するためのインターフェースである。ここでは、外部Ｉ／Ｆ２５は、接続された外部の装置とシリアル通信する。外部Ｉ／Ｆ２５に外部装置としてＣＤ−ＲＯＭドライバが接続される場合、ＣＰＵ１１は、外部Ｉ／Ｆ２５を介してＣＤ−ＲＯＭドライバに装着されるＣＤ（Ｃｏｍｐａｃｔ  Ｄｉｓｋ）−ＲＯＭ２５Ａにアクセス可能である。ＣＰＵ１１は、ＣＤ−ＲＯＭ２５Ａに記録されたプログラムをＲＡＭ１５にロードして実行することが可能である。
【００３２】
なお、ＣＰＵ１１が実行するプログラムは、ＣＤ−ＲＯＭ２５Ａに記録されたプログラムに限られず、ＥＥＰＲＯＭ１７に記憶されたプログラムをＲＡＭ１５にロードして実行するようにしても良い。この場合、ネットワークに接続された他のコンピュータが、表示装置１００のＥＥＰＲＯＭ１７に記憶されたプログラムを書き換える、または、新たなプログラムを追加して書き込むようにしてもよい。さらに、表示装置１００が、ネットワークに接続された他のコンピュータからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００３３】
光センサ２７は、所定強度以上の光を検出している間、検出信号をＣＰＵ１１に出力し、所定強度以上の光を検出していない間は何も出力しない。所定強度は、市販の複写機が原稿を走査するときに発光する光の強度、またはそれよりも小さな値である。また、光センサ２７は、光の強度の変化を検出するようにしてもよい。具体的には、複写機は、原稿を走査する場合、外部から入る光が少ない状態で、原稿の走査する部分に所定強度の光を照射する。このため、光センサ２７は、複写機が走査するために発する光を検出するために、第１の強度以下の光を検出している状態から第１の強度よりも大きな第２強度以上の光を検出する状態に遷移したときに検出信号をＣＰＵ１１に出力する。この場合は、第１の強度以下の光を検出する状態に遷移するまで検出信号をＣＰＵ１１に出力し、その後第１の強度以下の光を検出する状態に遷移すると検出信号を出力しなくなる。
【００３４】
重力センサ２９は、重力方向を検出し、検出した重力方向をＣＰＵ１１に出力する。重力方向は、ここでは、電子ペーパ１９の横方向（長手方向）をＸ軸、縦方向（短手方向）をＹ軸、表示面に垂直な方向をＺ軸として、重力方向が３軸それぞれとなす角で示される。ここではＺ軸は、電子ペーパ１９の表示面が向く方向をプラスとしている。
【００３５】
図３は、第１の実施の形態における表示装置が備えるＣＰＵが有する機能の一例を示す機能ブロック図である。図３に示すＣＰＵ１１が有する機能は、ＣＰＵ１１がＲＯＭ１３またはＥＥＰＲＯＭ１７に記憶された表示制御プログラムを実行することにより、ＣＰＵ１１に形成される。図３を参照して、ＣＰＵ１１は、電子ペーパ１９の表示を制御する表示制御部５１と、光センサ２７の出力が入力される光検出部５５と、重力センサ２９の出力が入力される重力検出部５３と、複数の配列規則のうちから１つを選択する選択部５７と、電子ペーパ１９に表示するための画像を生成する表示画像生成部５９と、を含む。
【００３６】
選択部５７は、ユーザの操作を受け付け、受け付けられた操作に従って、表示用データを決定し、予め定められた複数の配列規則のうちから１つを選択する。配列規則は、排紙方向と配列方法とによって１つが定まる。排紙方向は、表示装置１００が表示する画像を複写する複写機が画像を形成した後の用紙を排紙する方向である。排紙方向は、排紙される用紙の画像を形成した面が上向きならばフェイスアップ、画像を形成した面が下向きならばフェイスダウンである。
【００３７】
配列方法は、通常配列（通常）、ツーインワン（２ｉｎ１）、ブックレットの３つの方法を含む。通常配列の配列方法は、表示する画像を、表示用データに含まれる複数のページそれぞれの画像とする配列である。従って、通常配列の場合、表示する画像の数と、表示用データに含まれるページの数とが同じである。通常配列は、表示する画像の順番と、表示用データに含まれる複数のページのページ番号が同じ場合（第１通常配列）と、逆の場合（第２通常配列）とがあり、表示する画像の順番は排紙方向によって定まる。
【００３８】
通常配列の配列方法で、排紙方向がフェイスダウンの場合、表示する画像の順番は、表示用データに含まれる複数のページのページ順と同じ第１通常配列である。具体的には、表示する画像の第１ページに表示用データの第１ページの画像が配置され、表示する画像の第２ページ以降のページには表示用データの次のページの画像が順に配置される。
【００３９】
通常配列の配列方法で、排紙方向がフェイスアップの場合、表示する画像の順番は、表示用データに含まれる複数のページのページ順と逆の第２通常配列である。具体的には、表示する画像の第１ページに表示用データの最後のページの画像が配置され、表示する画像の第２ページ以降のページには表示用データの前のページの画像が順に配置される。
【００４０】
ツーインワンの配列方法は、表示する画像を、表示用データを構成する複数ページのうち奇数ページの画像の右に次の偶数ページの画像を配置した画像とする配列である。従って、ツーインワンの配列方法の場合、表示する画像の数が、表示用データを構成するページの数の１／２またはそれに１を加算した値となる。ツーインワンの配列方法で、排紙方向がフェイスダウンの場合、表示する画像の第１ページに表示用データの最初の奇数ページ（第１ページ）の画像が左に配置され、表示する画像の第２ページ以降のページの左には表示用データの次の奇数ページの画像が順に配置され、第１ツーインワン配列という。ツーインワンの配列方法で、排紙方向がフェイスアップの場合、表示する画像の第１ページに表示用データの最後の奇数ページの画像が左に配置され、表示する画像の第２ページ以降のページの左には表示用データの前の奇数ページの画像が順に配置され、第２ツーインワン配列という。
【００４１】
ブックレットの配列方法は、表示する画像に表示用データを構成する複数ページのうちから選ばれた２つのページの画像を左右に配置した画像とする配列であり、画像形成後の複数の用紙を中心で折り返した場合に表示用データのページ順となる配列である。具体的には、ブックレットの配列方法で、排紙方向がフェイスダウンの場合、表示する画像は、表示用データの第ｎページ（ｎは正の整数）の画像の右に第（Ｎ−ｎ＋１）ページの画像を、第１ページから次のページの順に配置した画像となり、第１ブックレット配列という。ブックレットの配列方法で、排紙方向がフェイスアップの場合、表示する画像は、表示用データの第ｎページ（ｎは正の整数）の画像の右に第（Ｎ−ｎ＋１）ページの画像を、第Ｎページから前のページの順に配置した画像となり、第２ブックレット配列という。
【００４２】
図４は、設定画面の一例を示す図である。図４を参照して、設定画面３００は、表示用データを指定する領域と、配列規則を設定する領域と、を含む。表示用データを指定する領域は、フォルダを指定する領域３０１と、ファイル名を指定する領域３０３とを含む。領域３０１の右端の逆三角形の印部分をユーザが指示すれば、ＥＥＰＲＯＭ１７が有する記憶領域であるフォルダを識別するためのフォルダ名を選択可能に表示するプルダウン画面が表示され、ユーザがプルダウン画面に表示されたフォルダ名のいずれかを指示すれば、指示されたフォルダ名のフォルダが指定されるとともに、そのフォルダ名が領域３０１に表示される。領域３０３の右端の逆三角形の印部分をユーザが指示すれば、領域３０１において指定されたフォルダに記憶されているファイルを識別するためのファイル名を選択可能に表示するプルダウン画面が表示され、ユーザがプルダウン画面に表示されたファイル名のいずれかを指示すれば、指示されたファイル名のデータが表示用データとして指定されるとともに、そのファイル名が領域３０３に表示される。
【００４３】
配列規則を設定する領域は、排紙方向を設定する領域３０５と、配列方法を設定する領域３０７とを含む。排紙方向を設定する領域３０５は、「Ｕｐ」の文字が表されたボタンと、「Ｄｏｗｎ」の文字が表されたボタンとを含む。ユーザが「Ｕｐ」の文字が表されたボタンを指示すれば、排紙方向にフェイスアップが設定され、ユーザが「Ｄｏｗｎ」の文字が表されたボタンを指示すれば、排紙方向にフェイスダウンが設定される。配列方法を設定する領域３０７は、「通常」の文字が表されたボタンと、「２ｉｎ１」の文字が表されたボタンと、「ブックレット」の文字が表されたボタンとを含む。ユーザが「通常」の文字が表されたボタンを指示すれば、配列方法に通常配列が設定され、ユーザが「２ｉｎ１」の文字が表されたボタンを指示すれば、配列方法にツーインワンが設定され、ユーザが「ブックレット」の文字が表されたボタンを指示すれば、配列方法にブックレットが設定される。
【００４４】
設定画面３００は、「ＯＫ」の文字が表されたボタンと、「キャンセル」の文字が表されたボタンと、をさらに含む。「ＯＫ」の文字が表されたボタンをユーザが指示すれば、フォルダを指定する領域３０１と、ファイル名を指定する領域３０３とに設定されたフォルダ名およびファイル名で特定される表示用データが決定され、排紙方向を設定する領域３０５と、配列方法を設定する領域３０７とに設定された排紙方向および配列方法で定まる配列規則が選択される。
【００４５】
図３に戻って、選択部５７は、決定した表示用データのフォルダ名およびファイル名と、選択された配列規則である排紙方向および配列方法と、を表示画像生成部５９に出力する。
【００４６】
表示画像生成部５９は、選択部５７から入力されるフォルダ名およびファイル名で特定される表示用データをＥＥＰＲＯＭ１７から読み出す。さらに、表示画像生成部５９は、表示用データに含まれるページデータに基づいて、選択部５７から入力される排紙方向および配列方法により定まる配列規則に従って表示用画像を生成する。表示用画像は、複数ページの画像を含む。そして、生成された表示用画像を、表示制御部５１に出力する。ここでは、表示用画像がＭページで構成されるとする。ただし、Ｍは正の整数である。
【００４７】
重力検出部５３は、重力センサ２９から重力方向が入力される。重力検出部５３は、重力方向が、電子ペーパ１９の表示面が向く方向、換言すれば、Ｚ軸の正方向から所定の範囲内に含まれる場合、表示制御部５１が有する表示開始部６１に、開始指示を出力する。重力方向が電子ペーパ１９の表示面が向く方向から所定の範囲内となる場合、表示装置１００が裏向きの状態となる場合である。複写機は、通常、走査の対象となる原稿が原稿台に裏向きに置かれるので、表示装置１００が裏向きの状態となったことを検出することにより、表示装置１００が複写機の走査の対象物が載置される原稿台に置かれたと判断することができる。
【００４８】
光検出部５５は、光センサ２７の出力が入力され、光センサ２７から検出信号が入力された後、検出信号が入力されなくなると、走査を検出する。そして、走査を検出してから所定の時間が経過すると、改ページ指示を切換部６３に出力する。複写機は、原稿を走査する場合、光を原稿に照射するので、この光を検出することにより、複写機による走査を検出する。走査は、原稿面の全体に渡ってされるため、副走査方向に走査する時間を有する。所定の時間は、複写機が副走査方向に走査するのに要する時間である。光検出部５５が走査を検出してから改ページ指示を出力するまでの時間が、複写機によって異なる場合には、所定の時間をユーザが例えば設定画面で設定することができるようにしてもよい。
【００４９】
表示制御部５１は、表示画像生成部５９から表示用画像が入力される。表示用画像は複数ページの画像を含むため、表示制御部５１は、複数ページの画像を順に選択し、選択した１ページの画像を電子ペーパ１９に表示する。
【００５０】
表示制御部５１は、表示開始部６１と、切換部６３とを含む。表示開始部６１は、重力検出部５３から開始指示が入力されると、表示用画像の第１ページの画像を電子ペーパ１９に表示する。切換部６３は、光検出部６５から改ページ指示が入力されると、表示用画像に含まれる複数ページの画像のうち電子ペーパ１９にそれまで表示しているページの次のページの画像を電子ペーパ１９に表示することにより、電子ペーパ１９に表示する画像を切り換える。
【００５１】
図５は、第１の実施の形態における表示制御処理の流れの一例を示すフローチャートである。表示制御処理は、ＣＰＵ１１が、ＥＥＰＲＯＭ１７に記憶された表示制御プログラムを実行することにより、ＣＰＵ１１により実行される処理である。図５を参照して、ＣＰＵ１１は、設定を受け付けたか否かを判断する（ステップＳ０１）。電子ペーパ１９に図４に示した設定画面を表示し、表示用データの設定と、配列規則の設定とを受け付けたか否かを判断する。設定を受け付けるまで待機状態となり（ステップＳ０１でＮＯ）、設定を受け付けたならば、表示用データを読み出し、処理をステップＳ０２に進める。ステップＳ０２においては、ステップＳ０１において受け付けられた配列規則をＲＡＭ１５に一次的に記憶する。
【００５２】
ステップＳ０３においては、裏向きを検出したか否かを判断する。重力センサ２９から入力される重力方向に基づいて、表示装置１００の状態が裏向きとなったことを検出したか否かを判断する。具体的には、重力センサ２９から入力される重力方向が電子ペーパ１９の表示面が向く方向から所定の範囲内に含まれるならば、表示装置１００の状態が裏向きとなったことを検出する。表示装置１００の状態が裏向きとなったことを検出するまで待機状態となり（ステップＳ０３でＮＯ）、表示装置１００の状態が裏向きとなったことを検出したならば処理をステップＳ０４に進める。ステップＳ０４においては、開始ページの画像を生成する。この場合、ステップＳ０２において記憶された配列規則に従って、ステップＳ０１において読み出された表示用データに含まれる複数ページの画像を配列することによって、開始ページの画像を生成する。ここでは、ＥＥＰＲＯＭ１７に予め記憶された開始ページテーブルを参照して、開始ページの画像を生成する。
【００５３】
図６は、開始ページテーブルの一例を示す図である。図６を参照して、開始ページテーブルは、配列方法および排紙方向別に、表示用画像の第１ページの画像に配置する表示用データのページの画像を定義する。例えば、配列方法が通常印刷で、排紙方向がフェイスダウンの場合、表示用画像の第１ページの画像に表示用データの第１ページの画像を配置することを定義する。また、配列方法がブックレットで、排紙方向がフェイスアップの場合、表示用データの総ページ数Ｎが偶数の場合、表示用データの第（Ｎ／２）ページの画像を左に配置し、第（Ｎ／２＋１）ページの画像を右に配置することを定義する。また、表示用データの総ページ数Ｎが奇数の場合、表示用データの第（（Ｎ＋１）／２）ページの画像を左に配置し、第（（Ｎ＋１）／２＋１）ページの画像を右に配置することを定義する。
【００５４】
図５に戻って、次のステップＳ０５においては、生成された開始ページの画像を電子ペーパ１９に表示し、処理をステップＳ０６に進める。ステップＳ０６においては、所定強度の光を検出したか否かを判断する。所定強度の光を検出するまで待機状態となり（ステップＳ０６でＮＯ）、光センサ２７が所定強度の光を検出したならば処理をステップＳ０７に進める、ステップＳ０７においては、所定強度の光を検出中は待機状態となり（ステップＳ０７でＹＥＳ）、所定強度の光を検出しなくなると（ステップＳ０７でＮＯ）、処理をステップＳ０８に進める。なお、ここでは所定強度の光を検出してから所定強度の光を検出しなくなると、ステップＳ０８以降の処理を実行するようにしたが、光センサ２７が検出する光の強度が、第１の強度以下の強度から第２の強度以上に変化した後さらに第１の強度以下に変化したことを検出すると、ステップＳ０８以降の処理を実行するようにしてもよい。
【００５５】
ステップＳ０８においては、所定時間経過するまで待機状態となり（ステップＳ０８でＮＯ）、所定時間が経過すると（ステップＳ０８でＹＥＳ）、処理をステップＳ０９に進める。所定時間は、複写機が１回の走査を終了するまでに要する時間であり、ここでは、表示装置１００の横方向の長さと複写機の走査速度により定めるようにすればよい。これにより、電子ペーパ１９に表示された画像を複写機で走査するための時間を確保することができる。
【００５６】
ステップＳ０９においては、表示用データに含まれるページのうち表示用画像として表示されていないページが存在するか否かを判断する。そのようなページが存在すれば処理をステップＳ１０に進めるが、そうでなければ処理を終了する。ステップＳ１０においては、ステップＳ０２において記憶された配列規則に従って、ステップＳ０１において読み出された表示用データに含まれる複数ページの画像のうち、次のページの画像を配置することにより、次のページの表示用画像を生成する。そして次をステップＳ１１においては、ステップＳ１０において生成された表示用画像を電子ペーパ１９に表示し、処理をステップＳ０６に戻す。
【００５７】
以上説明したように、第１の実施の形態における表示装置１００は、重力方向が電子ペーパ１９の表示面が向く方向になると、出力画像を構成する複数ページのうち所定のページの画像を表示し、光センサ２７により所定強度以上の光が検出された後に所定強度以上の光が検出されなくなることを条件に、電子ペーパ１９に表示する画像を、出力画像を構成する少なくとも１つのページの画像のうちそれまで表示されていたページの画像から次のページの画像に切り換える。このため、表示用データの画像を複写機で用紙に形成する場合に、表示装置１００を読み取り位置に載置し、複写機を操作するだけで、連続するページの画像を複写させることができる。具体的には、ユーザは、複写機が備え、複写を指示するボタンを押下する操作を連続してすればよい。また、複写枚数を入力した後に複写を指示するボタンを押下する操作をすればよい。従って、表示用データの画像を複写機で用紙に形成する場合に、複写機の操作を容易にすることができる。
【００５８】
また、表示装置１００は、複数ページの画像を配列するために予め定められた複数の配列規則のうちから１つが選択され、選択された配列規則に従って、表示用データを構成する複数ページの画像を配置することにより出力画像を生成する。このため、表示用データを構成する複数ページの画像を予め定められた複数の配列規則のうちから選ばれた１つで、配列した画像を形成することができる。
【００５９】
また、複数の配列規則は、第１通常配列、第２通常配列と、第１ツーインワン配列と、第２ツーインワン配列と、第１ブックレット配列と、第２ブックレット配列と、を含むので、表示用データに含まれる複数ページの画像を任意に組み合わせた画像を用紙に形成することができる。
【００６０】
＜第２の実施の形態＞
第１の実施の形態における表示装置１００は、重力センサ２９により検出される重力方向が電子ペーパ１９の表示面が向く方向から所定の範囲内となる場合、表示装置１００が裏向きの状態となることを検出し、複写機の原稿台に置かれたと判断するようにした。第２の実施の形態における表示装置１００Ａは、重力センサを用いることなく、複写機の読み取り走査を検出するようにしたものである。
【００６１】
図７は、本発明の第２の実施の形態における表示装置の平面図である。図７を参照して、第２の実施の形態における表示装置１００Ａは、その上面に電子ペーパ１９と、タッチパネル２１Ｂと、電源キー２１Ａと、第１光センサ３３と第２光センサ３５と、を含む。
【００６２】
第１光センサ３３と第２光センサ３５とは、表示装置１００Ａの縦方向および横方向それぞれに所定の距離を隔てて配置される。より具体的には、１光センサ３３と第２光センサ３５とは、表示装置１００Ａの電子ペーパ１９が配置されるのと同じ上面に配置され、電子ペーパ１９の外側に電子ペーパ１９の対角線の延長線上に配置される。このため、表示装置１００Ａが複写機に裏向きに載置され、複写機が走査すると、第１光センサ３３と第２光センサ３５が同時に走査されることとはなく、時間を異ならせて走査される。
【００６３】
図８は、第２の実施の形態における表示装置のハードウエア構成の一例を示すブロック図である。図８を参照して、図２に示したブロック図と異なる点は、光センサ２７および重力センサ２９に代えて、第１光センサ３３および第２光センサ３５を備える点である。
【００６４】
第１光センサ３３および第２光センサ３５それぞれは、所定強度以上の光を検出している間、検出信号をＣＰＵ１１に出力し、所定強度以上の光を検出していない間は何も出力しない。上述したように、第１光センサ３３および第２光センサ３５は、表示装置１００Ａの縦方向および横方向それぞれに所定の距離を隔てて配置されるため、表示装置１００Ａが複写機に裏向きに載置されて走査されると、第１光センサ３３と第２光センサ３５とが時間を異ならせて検出信号をＣＰＵ１１に出力する。
【００６５】
図９は、第２の実施の形態における表示装置が備えるＣＰＵが有する機能の一例を示す機能ブロック図である。図９に示すＣＰＵ１１が有する機能は、ＣＰＵ１１がＲＯＭ１３またはＥＥＰＲＯＭ１７に記憶された表示制御プログラムを実行することにより、ＣＰＵ１１に形成される。
【００６６】
図９を参照して、図３に示した機能ブロック図と異なる点は、重力検出部５３が削除された点、光検出部５５および表示開始部６１が、光検出部５５Ａおよび表示開始部６１Ａにそれぞれ変更された点である。表示開始部６１Ａは、表示画像生成部５９から表示用画像が入力されると、表示用画像の第１ページの画像を電子ペーパ１９に表示する。光検出部５５Ａは、第１光センサ３３および第２光センサ３５と接続され、第１光センサ３３および第２光センサ３５から異なる時間に検出信号が入力されると、改ページ指示を切換部６３Ａに出力する。
【００６７】
図１０は、第２の実施の形態における表示制御処理の流れの一例を示すフローチャートである。表示制御処理は、ＣＰＵ１１が、ＥＥＰＲＯＭ１７に記憶された表示制御プログラムを実行することにより、ＣＰＵ１１により実行される処理である。図１０を参照して、ステップＳ２１〜ステップＳ２４の処理は、図５に示したステップＳ０１、ステップＳ０２、ステップＳ０４およびステップＳ０５と、それぞれ同じである。第１の実施の形態における表示制御処理は、表示装置１００の裏向きの状態が検出されることに応じて、開始ページの画像を生成および表示したのに対して、第２の実施の形態における表示制御処理は、設定が受け付けられると開始ページの画像を生成および表示する。
【００６８】
ステップＳ２５においては、第１光センサ３３が所定強度の光を検出したか否かを判断する。第１光センサ３３が所定強度の光を検出したならば処理をステップＳ２６に進め、そうでなければ処理をステップＳ２８に進める。ステップＳ２６においては、第２光センサ３５が所定強度の光を検出したか否かを判断する。第２光センサ３５が所定強度の光を検出するまで待機状態となり、所定強度の光を検出したならば処理をステップＳ２９に進める。なお、ステップＳ２６においては、ステップＳ２５において第１光センサ３３が所定強度の光を検出してから所定時間経過しても第２光センサ３５が所定強度の光を検出しない場合には、走査でないと判断して、処理をステップＳ２５に戻すようにしてもよい。
【００６９】
ステップＳ２７においては、第２光センサ３５が所定強度の光を検出したか否かを判断する。第２光センサ３５が所定強度の光を検出したならば処理をステップＳ２８に進め、そうでなければ処理をステップＳ２５に戻す。ステップＳ２８においては、第１光センサ３３が所定強度の光を検出したか否かを判断する。第１光センサ３３が所定強度の光を検出するまで待機状態となり、所定強度の光を検出したならば処理をステップＳ２９に進める。なお、ステップＳ２８においては、ステップＳ２７において第２光センサ３５が所定強度の光を検出してから所定時間経過しても第１光センサ３３が所定強度の光を検出しない場合には、走査でないと判断して、処理をステップＳ２５に戻すようにしてもよい。
【００７０】
ステップＳ２９〜ステップＳ３１の処理は、図５に示したステップＳ０９〜ステップＳ１１の処理と同じなので、ここでは説明を繰り返さない。
【００７１】
ステップＳ２５〜ステップＳ２８の処理は、第１光センサ３３および第２光センサ３５が時間を異ならせて所定強度の光を検出したか否かを判断し、第１光センサ３３および第２光センサ３５が時間を異ならせて所定強度の光を検出した場合に、処理をステップＳ２９に進める。このため、第１光センサ３３および第２光センサ３５が時間を異ならせて所定強度の光を検出した場合、換言すれば、複写機による１回の走査を検出した後に、ステップＳ２９以降の処理が実行され、電子ペーパ１９に表示する画像が切り換えられる。
【００７２】
第２の実施の形態における表示装置１００Ａは、出力画像を構成する複数ページのうち所定のページの画像が表示され、第１光センサ３３および第２光センサ３５が所定強度の光を異なる時に検出する場合、電子ペーパ１９に表示する画像を、出力画像を構成する少なくとも１つのページの画像のうちそれまで表示されていたページの画像から次のページの画像に切り換える。このため、表示用データの画像を複写機で用紙に形成する場合に、表示装置１００Ａを読み取り位置に載置し、複写機を操作するだけで、連続するページの画像を複写させることができる。具体的には、ユーザは、複写機が備え、複写を指示するボタンを押下する操作を連続してすればよい。また、複写枚数を入力した後に複写を指示するボタンを押下する操作をすればよい。従って、表示用データの画像を複写機で用紙に形成する場合に、複写機の操作を容易にすることができる。
【００７３】
また、表示装置１００Ａは、複数ページの画像を配列するために予め定められた複数の配列規則のうちから１つが選択され、選択された配列規則に従って、表示用データを構成する複数ページの画像を配置することにより出力画像を生成する。このため、表示用データを構成する複数ページの画像を予め定められた複数の配列規則のうちから選ばれた１つで、配列した画像を形成することができる。
【００７４】
また、複数の配列規則は、第１通常配列、第２通常配列と、第１ツーインワン配列と、第２ツーインワン配列と、第１ブックレット配列と、第２ブックレット配列と、を含むので、表示用データに含まれる複数ページの画像を任意に組み合わせた画像を用紙に形成することができる。
【００７５】
なお、本実施の形態においては、表示装置１００，１００Ａについて説明したが、図５または図１０に示した表示制御処理を表示装置１００，１００Ａで実行するための表示制御方法、または、それらの表示制御方法を、表示装置１００，１００Ａが備えるＣＰＵ１１に実行させるための表示制御プログラムとして、発明を捉えることができるのは言うまでもない。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の第１の実施の形態における表示装置の平面図である。
【図２】第１の実施の形態における表示装置のハードウエア構成の一例を示すブロック図である。
【図３】第１の実施の形態における表示装置が備えるＣＰＵが有する機能の一例を示す機能ブロック図である。
【図４】設定画面の一例を示す図である。
【図５】第１の実施の形態における表示制御処理の流れの一例を示すフローチャートである。
【図６】開始ページテーブルの一例を示す図である。
【図７】本発明の第２の実施の形態における表示装置の平面図である。
【図８】第２の実施の形態における表示装置のハードウエア構成の一例を示すブロック図である。
【図９】第２の実施の形態における表示装置が備えるＣＰＵが有する機能の一例を示す機能ブロック図である。
【図１０】第２の実施の形態における表示制御処理の流れの一例を示すフローチャートである。
【符号の説明】
【００７８】
１００，１００Ａ  表示装置、１１  ＣＰＵ、１３  ＲＯＭ、１５  ＲＡＭ、１７  ＥＥＰＲＯＭ、１９  電子ペーパ、２１  操作部、２１Ａ  電源キー、２１Ｂ  タッチパネル、２３  通信Ｉ／Ｆ、２５  外部Ｉ／Ｆ、２７  光センサ、２９  重力センサ、３１  バス、３３  第１光センサ、３５  第２光センサ、５１  表示制御部、５３  重力検出部、５５，５５Ａ  光検出部、５７  選択部、５９  表示画像生成部、６１，６１Ａ  表示開始部、６３，６３Ａ  切換部、６５  光検出部。
【図１】
2011090398.tif 000003
【図２】
2011090398.tif 000004
【図３】
2011090398.tif 000005
【図４】
2011090398.tif 000006
【図５】
2011090398.tif 000007
【図６】
2011090398.tif 000008
【図７】
2011090398.tif 000009
【図８】
2011090398.tif 000010
【図９】
2011090398.tif 000011
【図１０】
2011090398.tif 000012